(57)【特許請求の範囲】
【請求項１】
電気絶縁回路基板と、
前記回路基板に取り付けられている少なくとも１つの伝導性トレースを備えている少なくとも１つの電気経路であって、前記少なくとも１つの電気経路は、前記少なくとも１つの電気経路を通る電流に応答してジュールエネルギーを生成し、前記少なくとも１つの電気経路は、少なくとも１つの高温エリアを形成する、少なくとも１つの電気経路と、
前記少なくとも１つの高温エリアと熱接触する少なくとも１つの電気泳動キャピラリであって、前記少なくとも１つの電気泳動キャピラリは、前記少なくとも１つの電気経路を通る電流に応答して、熱的に調整される、少なくとも１つの電気泳動キャピラリと
を備えている、装置。
【請求項２】
前記少なくとも１つの電気泳動キャピラリと熱接触する少なくとも１つの温度センサであって、前記少なくとも１つの温度センサは、前記少なくとも１つの電気泳動キャピラリの温度データを提供する、少なくとも１つの温度センサと、
前記少なくとも１つの電気泳動キャピラリの温度のコントローラであって、前記コントローラは、前記少なくとも１つの温度センサからの温度データに応答して、前記少なくとも１つの電気経路を通る電流を変化させる、コントローラと
をさらに備えている、請求項１に記載の装置。
【請求項３】
前記少なくとも１つの電気経路は、少なくとも１つの抵抗を有し、前記少なくとも１つの抵抗は、前記少なくとも１つの電気経路と熱接触する前記少なくとも１つの電気泳動キャピラリの温度データを提供し、前記装置は、
前記少なくとも１つの電気泳動キャピラリの温度のコントローラをさらに備え、前記コントローラは、前記少なくとも１つの電気経路の前記少なくとも１つの抵抗からの温度データに応答して、前記少なくとも１つの電気経路を通る電流を変化させる、請求項１に記載の装置。
【請求項４】
前記回路基板に取り付けられた少なくとも１つの熱絶縁部材をさらに備え、前記少なくとも１つの熱絶縁部材は、前記少なくとも１つの電気経路および前記少なくとも１つの電気泳動キャピラリのそばに位置付けられ、前記少なくとも１つの熱絶縁部材は、（ｉ）前記少なくとも１つの電気経路および前記少なくとも１つの電気泳動キャピラリに取り付けられた前記回路基板の部分と、（ｉｉ）前記回路基板の残部との間の熱伝達を低減させる、請求項１に記載の装置。
【請求項５】
前記回路基板に取り付けられた前記回路基板内の少なくとも１つの開口をさらに備え、前記少なくとも１つの開口は、前記少なくとも１つの電気経路および前記少なくとも１つの電気泳動キャピラリのそばに位置付けられ、前記少なくとも１つの開口は、（ｉ）前記少なくとも１つの電気経路および前記少なくとも１つの電気泳動キャピラリに取り付けられた前記回路基板の部分と、（ｉｉ）前記回路基板の残部との間の熱伝達を低減させる、請求項１に記載の装置。
【請求項６】
前記少なくとも１つの電気経路は、前記少なくとも１つの電気泳動キャピラリの異なる区画と熱接触する複数の電気経路を含み、前記少なくとも１つの電気泳動キャピラリの異なる区画は、前記複数の電気経路のうちの異なる電気経路によって、別個に熱的に調整される、請求項１に記載の装置。
【請求項７】
前記装置は、
前記少なくとも１つの電気泳動キャピラリの異なる区画と熱接触する複数の温度センサであって、前記複数の温度センサは、前記少なくとも１つの電気泳動キャピラリの異なる区画の温度データを提供する、複数の温度センサと、
前記少なくとも１つの電気泳動キャピラリの異なる区画の温度のコントローラであって、前記コントローラは、前記複数の温度センサからの温度データに応答して、前記複数の電気経路を通る電流を変化させる、コントローラと
をさらに備えている、請求項６に記載の装置。
【請求項８】
前記複数の電気経路は、抵抗を有し、前記抵抗は、前記複数の電気経路と熱接触する前記少なくとも１つの電気泳動キャピラリの異なる区画の温度データを提供し、
前記装置は、
前記少なくとも１つの電気泳動キャピラリの異なる区画の温度のコントローラをさらに備え、前記コントローラは、前記複数の電気経路の抵抗からの温度データに応答して、前記複数の電気経路を通る電流を変化させる、請求項６に記載の装置。
【請求項９】
前記少なくとも１つの電気泳動キャピラリは、前記回路基板に取り付けられている、請求項１に記載の装置。
【請求項１０】
前記少なくとも１つの電気泳動キャピラリは、接着材料によって、前記回路基板に取り付けられている、請求項１に記載の装置。
【請求項１１】
前記少なくとも１つの電気経路は、前記少なくとも１つの高温エリア内を前後に走る電気経路、または複数の電気経路によって接続されている２つの電気ノードとして構成されている電気経路を含む、請求項１に記載の装置。
【請求項１２】
前記少なくとも１つの高温エリアは、幅５ｍｍ以上を有する、請求項１に記載の装置。
【請求項１３】
前記高温エリアは、前記電気絶縁回路基板に入る前記少なくとも１つの電気泳動キャピラリの部分のそばで拡大している、請求項１に記載の装置。
【請求項１４】
前記電気絶縁回路基板は、前記電気絶縁回路基板を通る開口を有し、前記開口は、前記少なくとも１つの電気泳動キャピラリとの光学相互作用を促進する、請求項１に記載の装置。
【請求項１５】
前記少なくとも１つの電気経路は、少なくとも１つの屈曲を有する、請求項１に記載の装置。
【請求項１６】
前記少なくとも１つの電気経路全体は、Ｓ形状を有する、請求項１に記載の装置。
【請求項１７】
（ａ）電気泳動熱アセンブリであって、
電気絶縁回路基板と、
前記回路基板に取り付けられている少なくとも１つの伝導性トレースを備えている少なくとも１つの電気経路であって、前記少なくとも１つの電気経路は、前記少なくとも１つの電気経路を通る電流に応答してジュールエネルギーを生成する、少なくとも１つの電気経路と、
前記少なくとも１つの電気経路と熱接触する少なくとも１つの電気泳動キャピラリであって、前記少なくとも１つの電気泳動キャピラリは、前記少なくとも１つの電気経路を通る電流に応答して、熱的に調整される、少なくとも１つの電気泳動キャピラリと
を含む、電気泳動熱アセンブリと、
（ｂ）少なくとも１つの電気泳動検体を前記少なくとも１つの電気泳動キャピラリに注入するように連結されている少なくとも１つの検体注入器と、
（ｃ）前記少なくとも１つの電気泳動キャピラリの対向端に連結された電圧源であって、前記電圧源は、前記少なくとも１つの電気泳動キャピラリの対向端間に電気泳動電圧差を提供する、電圧源と、
（ｄ）レーザデバイスであって、前記レーザデバイスは、前記レーザデバイスから、前記少なくとも１つの電気泳動キャピラリに、ビームを送達するように位置付けられている、レーザデバイスと、
（ｅ）前記少なくとも１つの電気泳動キャピラリから、光学信号を受信するように光学的に連結されている光学検出器と
を備えている、装置。
【請求項１８】
方法であって、
前記方法は、
装置を提供することであって、前記装置は、
電気絶縁回路基板と、
前記回路基板に取り付けられている少なくとも１つの伝導性トレースを備えている少なくとも１つの電気経路であって、前記少なくとも１つの電気経路は、前記少なくとも１つの電気経路を通る電流に応答してジュールエネルギーを生成し、前記少なくとも１つの電気経路は、少なくとも１つの高温エリアを形成する、少なくとも１つの電気経路と、
前記少なくとも１つの高温エリアと熱接触する少なくとも１つの電気泳動キャピラリであって、前記少なくとも１つの電気泳動キャピラリは、前記少なくとも１つの電気経路を通る電流に応答して、熱的に調整される、少なくとも１つの電気泳動キャピラリと
を備えている、ことと、
前記少なくとも１つの電気泳動キャピラリを通して検体を電気泳動的に移動させることと、
前記電気絶縁回路基板に取り付けられている前記少なくとも１つの電気経路に電流を通すことにより生成されたジュールエネルギーで前記少なくとも１つの高温エリアとの熱接触を介して前記少なくとも１つの電気泳動キャピラリを加熱することと
を含む、方法。
【請求項１９】
前記少なくとも１つの電気経路と熱接触する前記少なくとも１つの電気泳動キャピラリの温度データを生成することと、
前記少なくとも１つの電気経路の温度データに応答して、前記少なくとも１つの電気経路を通る電流を変化させることと
をさらに含む、請求項１８に記載の方法。
【請求項２０】
前記少なくとも１つの電気泳動キャピラリの少なくとも１つの温度センサを介して、前記少なくとも１つの電気経路と熱接触する前記少なくとも１つの電気泳動キャピラリの温度データを生成することと、
前記少なくとも１つの温度センサからの温度データに応答して、前記少なくとも１つの電気経路を通る電流を変化させることと
をさらに含む、請求項１８に記載の方法。
【請求項２１】
前記少なくとも１つの電気泳動キャピラリの少なくとも１つの抵抗を介して、前記少なくとも１つの電気経路と熱接触する前記少なくとも１つの電気泳動キャピラリの温度データを生成することと、
前記少なくとも１つの抵抗からの温度データに応答して、前記少なくとも１つの電気経路を通る電流を変化させることと
をさらに含む、請求項１８に記載の方法。
【請求項２２】
（ｉ）前記少なくとも１つの電気経路および前記少なくとも１つの電気泳動キャピラリに取り付けられた前記回路基板の部分と、（ｉｉ）前記回路基板の残部との間の熱伝達を低減させることをさらに含む、請求項１８に記載の方法。
【請求項２３】
少なくとも１つの開口によって、（ｉ）前記少なくとも１つの電気経路および前記少なくとも１つの電気泳動キャピラリに取り付けられた前記回路基板の部分と、（ｉｉ）前記回路基板の残部との間の熱伝達を低減させることをさらに含む、請求項１８に記載の方法。
【請求項２４】
前記加熱することは、
前記電気絶縁回路基板を通る電流を搬送する複数の電気経路との熱接触を介して、前記少なくとも１つの電気泳動キャピラリの異なる区画を別個に加熱することを含む、請求項１８に記載の方法。
【請求項２５】
前記少なくとも１つの電気泳動キャピラリの異なる区画の温度データを生成することと、
前記少なくとも１つの電気泳動キャピラリの異なる区画からの温度データに応答して、前記複数の電気経路を通る電流を変化させることと
をさらに含む、請求項２４に記載の方法。
【請求項２６】
前記少なくとも１つの電気泳動キャピラリの異なる区画の異なる温度センサを介して、前記少なくとも１つの電気泳動キャピラリの異なる区画の温度データを生成することと、
前記少なくとも１つの電気泳動キャピラリの異なる区画からの温度データに応答して、前記複数の電気経路を通る電流を変化させることと
をさらに含む、請求項２４に記載の方法。
【請求項２７】
前記複数の電気経路の抵抗を介して、前記少なくとも１つの電気泳動キャピラリの異なる区画の温度データを生成することと、
前記少なくとも１つの電気泳動キャピラリの異なる区画からの温度データに応答して、前記複数の電気経路を通る電流を変化させることと
をさらに含む、請求項２４に記載の方法。
【請求項２８】
少なくとも１つの検体を前記少なくとも１つの電気泳動キャピラリに注入することをさらに含む、請求項１８に記載の方法。
【請求項２９】
前記少なくとも１つの電気泳動キャピラリ内の少なくとも１つの検体を光学的に励起することと、
前記励起された少なくとも１つの検体からの光学信号を検出することと
をさらに含む、請求項１８に記載の方法。
【請求項３０】
電気絶縁回路基板を通して電流を搬送する異なる電気経路との熱接触を介して、少なくとも１つのキャピラリの異なる区画内の温度を別個に調整することと、
前記少なくとも１つのキャピラリを通して検体を移動させることと
を含み、
前記少なくとも１つのキャピラリは、前記少なくとも１つの電気泳動キャピラリの別個に熱的に調整された異なる区画において生化学的活性をサポートし、
前記電気経路のうちの少なくとも１つの電気経路は、前記電気絶縁回路基板に取り付けられている少なくとも１つの伝導性トレースを備えており、前記少なくとも１つの電気経路は、前記少なくとも１つの電気経路を通る電流に応答してジュールエネルギーを生成する、方法。
【請求項３１】
前記生化学的活性は、ポリメラーゼ連鎖反応であり、前記少なくとも１つの電気泳動キャピラリの異なる区画は、前記ポリメラーゼ連鎖反応の異なる温度サイクルのための異なる温度を有する、請求項３０に記載の方法。
【発明の詳細な説明】
【背景技術】
【０００１】
（関連出願の引用）
本願は、対応する米国仮特許出願第６１／３４９，６８０号（２０１０年５月２８日出願）の出願日の利益を主張し、該出願の内容は、その全体が参照により本明細書に引用される。本願は、米国特許出願第１３／１１３，９６８号（２０１１年５月２３日出願）に関連し、その出願日の利益を主張する。該出願の内容は、その全体が参照により本明細書に引用される。
【０００２】
（政府援助研究声明）
本発明は、中央情報局によって与えられた政府援助（契約番号第２００４＊Ｈ８３８１０９＊０００）によって為された。政府は、本発明の一定の権利を有する。
【０００３】
（本発明の背景）
キャピラリ電気泳動は、混合物内の検体を検出するために、生化学分析において使用される。よく知られている用途の１つは、シークエンシングまたは増幅反応の生成物である、核酸の分析である。現代のキャピラリ電気泳動デバイスは、キャピラリのアレイを使用して、多重分析を行なう。そのようなデバイスは、種々の方法において、キャピラリ内の温度を調整する。方法の１つは、特許文献１におけるように、キャピラリの周囲において、特定の温度の空気を循環させるものである。別の方法では、キャピラリは、特許文献２および特許文献３におけるように、加熱板と熱接触する。
【０００４】
キャピラリアレイ内の検体は、種々の光学アセンブリを使用して、検出される。
【先行技術文献】
【特許文献】
【０００５】
【特許文献１】米国特許第７，６０１，２５２号明細書
【特許文献２】米国特許第７，２２３，３２６号明細書
【特許文献３】米国特許第７，４７３，３４２号明細書
【発明の概要】
【課題を解決するための手段】
【０００６】
（熱装置）
本技術の一側面は、電気絶縁回路基板と、回路基板に取り付けられている少なくとも１つの電気経路と、少なくとも１つの電気泳動キャピラリと熱接触する少なくとも１つの高温エリアとを伴う装置である。電気経路は、高温エリアを形成する。電気経路は、電気経路を通る電流に応答して、熱的に調整される。少なくとも１つの電気泳動キャピラリは、電気経路を通る電流に応答して、熱的に調整される。
【０００７】
一実施形態は、電気泳動キャピラリと熱接触する少なくとも１つの温度センサと、電気泳動キャピラリの温度のコントローラとを含む。温度センサは、電気泳動キャピラリの温度データを提供する。コントローラは、温度センサからの温度データに応答して、電気経路を通る電流を変化させる。
【０００８】
一実施形態では、電気経路は、電気経路と熱接触する、電気泳動キャピラリの温度データを提供する少なくとも１つの抵抗を有する。装置はさらに、電気経路の抵抗からの温度データに応答して、電気経路を通る電流を変化させる、電気泳動キャピラリの温度のコントローラを含む。
【０００９】
一実施形態はさらに、回路基板に取り付けられ、電気経路および電気泳動キャピラリのそばに位置付けられている、少なくとも１つの熱絶縁部材を含む。熱絶縁部材は、（ｉ）電気経路および電気泳動キャピラリに取り付けられた回路基板の部分と、ｉｉ）回路基板の残部との間の熱伝達を低減させる。そのような熱絶縁部材の実施例は、回路基板内の開口である。
【００１０】
一実施形態は、電気泳動キャピラリの異なる区画と熱接触する複数の電気経路を有する。電気泳動キャピラリの異なる区画は、別個に、異なる電気経路によって、熱的に調整される。一実施形態はさらに、電気泳動キャピラリの異なる区画と熱接触する複数の温度センサと、電気泳動キャピラリの異なる区画の温度のコントローラとを含む。温度センサは、電気泳動キャピラリの異なる区画の温度データを提供する。コントローラは、温度センサからの温度データに応答して、複数の電気経路を通る電流を変化させる。別の実施形態では、複数の電気経路は、複数の電気経路と熱接触する、電気泳動キャピラリの異なる区画の温度データを提供する、抵抗を有し、装置はさらに、複数の電気経路の抵抗からの温度データに応答して、複数の電気経路を通る電流を変化させる、電気泳動キャピラリの異なる区画の温度のコントローラを含む。一実施形態では、電気泳動キャピラリは、熱的絶縁材料によって被覆される。
【００１１】
一実施形態では、電気泳動キャピラリは、回路基板に取り付けられている。一実施形態では、電気泳動キャピラリは、接着材料によって、回路基板に取り付けられている。
【００１２】
一実施形態では、電気経路は、電気絶縁回路基板の高温エリア内に前後に走る。一実施形態では、電気経路は、複数の電気経路によって接続される２つの電気ノードとして構成される。一実施形態では、高温エリアは、幅５ｍｍ以上を有する。一実施形態では、高温エリアは、電気絶縁回路基板に入る、電気泳動キャピラリの部分のそばで拡大している。
【００１３】
一実施形態では、電気絶縁回路基板は、電気絶縁回路基板を通る開口を有する。開口は、電気泳動キャピラリとの光学相互作用を促進する。
【００１４】
一実施形態では、電気経路は、少なくとも１つの屈曲を有する。一実施形態では、電気経路全体が、Ｓ形状を有する。
【００１５】
（システム装置）
本技術の別の側面は、電気泳動熱アセンブリと、少なくとも１つの検体注入器と、電圧源と、レーザデバイスと、光学検出器とを含む、装置である。電気泳動熱アセンブリは、電気絶縁回路基板と、電気経路を通る電流に応答して、熱的に調整される、回路基板に取り付けられている少なくとも１つの電気経路と、電気泳動キャピラリが、電気経路を通る電流に応答して、熱的に調整されるように、電気経路と熱接触する少なくとも１つの電気泳動キャピラリとを含む。検体注入器は、少なくとも１つの電気泳動検体を電気泳動キャピラリに注入するように連結される。電圧源は、電気泳動キャピラリの対向端に連結され、電気泳動キャピラリの対向端間に電気泳動電圧差を提供する。レーザデバイスは、レーザデバイスから、電気泳動キャピラリに、ビームを送達するように位置付けられる。光学検出器は、電気泳動キャピラリから、光学信号を受信するように光学的に連結される。
【００１６】
（熱方法）
本技術の一側面は、少なくとも１つの電気泳動キャピラリを通して検体を電気泳動的に移動させるステップと、電気絶縁回路基板を通して電流を搬送する少なくとも１つの電気経路との熱接触を介して、電気泳動キャピラリを加熱するステップとを含む、方法である。
【００１７】
一実施形態はさらに、電気経路と熱接触する、電気泳動キャピラリの温度データを生成することと、電気経路の温度データに応答して、電気経路を通る電流を変化させることとを含む。
【００１８】
一実施形態はさらに、電気泳動キャピラリのうちの少なくとも１つの温度センサを介して、電気経路と熱接触する、電気泳動キャピラリの温度データを生成することと、温度センサからの温度データに応答して、電気経路を通る電流を変化させることとを含む。
【００１９】
一実施形態はさらに、電気泳動キャピラリのうちの少なくとも１つの抵抗を介して、電気経路と熱接触する、電気泳動キャピラリの温度データを生成することと、抵抗からの温度データに応答して、電気経路を通る電流を変化させることとを含む。
【００２０】
一実施形態はさらに、（ｉ）電気経路および電気泳動キャピラリに取り付けられた回路基板の部分と、（ｉｉ）回路基板の残部との間の熱伝達を低減させることを含む。
【００２１】
一実施形態はさらに、少なくとも１つの開口によって、（ｉ）電気経路および電気泳動キャピラリに取り付けられた回路基板の部分と、（ｉｉ）回路基板の残部との間の熱伝達を低減させることを含む。
【００２２】
一実施形態では、加熱することは、電気絶縁回路基板を通る電流を搬送する、複数の電気経路との熱接触を介して、電気泳動キャピラリの異なる区画を別個に加熱することを含む。
【００２３】
一実施形態はさらに、電気泳動キャピラリの異なる区画の温度データを生成することと、電気泳動キャピラリの異なる区画からの温度データに応答して、複数の電気経路を通る電流を変化させることとを含む。
【００２４】
一実施形態はさらに、電気泳動キャピラリの異なる区画の異なる温度センサを介して、電気泳動キャピラリの異なる区画の温度データを生成することと、電気泳動キャピラリの異なる区画からの温度データに応答して、複数の電気経路を通る電流を変化させることとを含む。
【００２５】
一実施形態はさらに、複数の電気経路の抵抗を介して、電気泳動キャピラリの異なる区画の温度データを生成することと、電気泳動キャピラリの異なる区画からの温度データに応答して、複数の電気経路を通る電流を変化させることとを含む。
【００２６】
一実施形態はさらに、少なくとも１つの検体を少なくとも１つの電気泳動キャピラリに注入することを含む。
【００２７】
一実施形態はさらに、電気泳動キャピラリ内の少なくとも１つの検体を光学的に励起することと、励起された検体からの光学信号を検出することとを含む。
【００２８】
（光学装置）
本技術の別の側面は、複数の電気泳動キャピラリと、レーザデバイスと、光学検出器と、光学セレクタとを伴う装置である。レーザデバイスは、レーザデバイスから、少なくとも１つの電気泳動キャピラリに、ビームを送達するように位置付けられる。光学検出器は、少なくとも１つの電気泳動キャピラリから、光学信号を受信するように光学的に連結される。レーザデバイス、光学検出器、および光学セレクタは、光学検出器に、複数の電気泳動キャピラリのうちの任意の１つ以上からの光学信号を選択的に検出させる配列にある。
【００２９】
一実施形態では、キャピラリは、アレイとして配列される。一実施形態では、光学セレクタは、レーザデバイスと複数の電気泳動キャピラリとの間に光学的に位置付けられる。いくつかの実施形態では、レーザデバイスからのビームは、単一の電気泳動キャピラリに送達され、他の電気泳動キャピラリには送達されない。一実施形態では、光学セレクタは、レーザデバイスからのビームを単一の電気泳動キャピラリに方向づけ、他の電気泳動キャピラリには方向づけない走査用対物レンズである。一実施形態では、走査用対物レンズは、レーザデバイスから走査用対物レンズに入るビームに対して、横断運動を行なうように適応される。別の実施形態では、光学セレクタは、レーザデバイスからのビームを単一の電気泳動キャピラリに通し、他の電気泳動キャピラリには通さない開口である。一実施形態はさらに、単一の電気泳動キャピラリから、ビームの反射を受光するように光学的に連結されるキャピラリ整列検出器を含む。反射は、単一の電気泳動キャピラリとのビームの整列を示す。
【００３０】
一実施形態では、光学セレクタは、複数の電気泳動キャピラリと光学検出器との間に光学的に位置付けられる。いくつかの実施形態では、複数の電気泳動キャピラリから、光学検出器への光学信号は、単一の電気泳動キャピラリに限定される。
【００３１】
種々の実施形態はさらに、レーザデバイスと光学検出器との間に、光学的に連結される、波長依存ビーム結合器、またはレーザデバイスと光学検出器との間に光学的に連結される空間ビーム結合器を含む。
【００３２】
（光学方法）
本技術の別の側面は、複数の電気泳動キャピラリを通して検体を電気泳動的に移動させるステップと、複数の電気泳動キャピラリのうちの第１の電気泳動キャピラリ内の少なくとも１つの検体を光学的に励起するステップと、光学検出器において、複数の電気泳動キャピラリのうちの第１の電気泳動キャピラリの光学的に励起された検体からの光学信号を受信するステップと、複数の電気泳動キャピラリのうちの第２の電気泳動キャピラリ内の少なくとも１つの検体を光学的に励起するステップと、光学検出器において、複数の電気泳動キャピラリのうちの第２の電気泳動キャピラリの光学的に励起された少なくとも１つの検体からの光学信号を受信するステップとを含む、方法である。
【００３３】
一実施形態では、光学的に励起することは、単一の電気泳動キャピラリ内の少なくとも１つの検体を光学的に励起することを含む。
【００３４】
一実施形態では、光学的に励起することは、光学的に励起された検体を有する単一の電気泳動キャピラリが、経時的に変化するように、複数の電気泳動キャピラリにわたってレーザビームを横断させることを含む。
【００３５】
一実施形態では、方法はさらに、単一の電気泳動キャピラリからのレーザビームの反射に基づいて、単一の電気泳動キャピラリとのレーザビームの整列を検出することを含む。
【００３６】
一実施形態では、横断させることはさらに、固定されたビーム結合器内にビームおよび光学信号を維持しながら、光学対物レンズを横断させ、レーザビームを横断させる一方、ことを含む。
【００３７】
一実施形態では、横断させることはさらに、光学対物レンズおよびビーム結合器を横断させ、レーザビームを横断させることを含む。
【００３８】
一実施形態では、横断させることはさらに、光学対物レンズの第１の側において、レーザデバイスから、レーザビームを受光することと、光学対物レンズの第２の側から、複数の電気泳動キャピラリに向けてレーザビームを通すことと、光学対物レンズの第１の側において、レーザビームに対して光学対物レンズを横断させ、光学対物レンズの第２の側において、レーザビームを複数の電気泳動キャピラリにわたって横断させることとを含む。
【００３９】
一実施形態では、光学的に励起することは、複数の電気泳動キャピラリ内の少なくとも１つの検体を光学的に励起することを含み、方法はさらに、光学信号を単一の電気泳動キャピラリから光学検出器に通し、他の電気泳動キャピラリからの光学信号を遮断することを含む。
【００４０】
一実施形態では、光学的に励起することは、通される光学信号を生じる単一の電気泳動キャピラリが、経時的に変化するように、複数の電気泳動キャピラリからの光学信号にわたって光学セレクタを横断させることを含む。
【００４１】
（生化学熱方法）
本技術の別の側面は、電気絶縁回路基板を通して電流を搬送する異なる電気経路との熱接触を介して、少なくとも１つのキャピラリの異なる区画内の温度を別個に調整するステップと、別個に熱的に調整される電気泳動キャピラリの異なる区画において生化学的活性をサポートするキャピラリを通して検体を移動させるステップとを含む方法である。
【００４２】
そのような生化学的活性の実施例は、ポリメラーゼ連鎖反応である。電気泳動キャピラリの異なる区画は、ポリメラーゼ連鎖反応の異なる温度サイクルのための異なる温度を有する。
本明細書は、例えば、以下の項目も提供する。
（項目１）
電気絶縁回路基板と、
前記回路基板に取り付けられている少なくとも１つの電気経路であって、前記少なくとも１つの電気経路は、前記少なくとも１つの電気経路を通る電流に応答して、熱的に調整され、少なくとも１つの高温エリアを形成する、少なくとも１つの電気経路と、
前記少なくとも１つの高温エリアと熱接触する少なくとも１つの電気泳動キャピラリであって、前記少なくとも１つの電気泳動キャピラリは、前記少なくとも１つの電気経路を通る電流に応答して、熱的に調整される、少なくとも１つの電気泳動キャピラリと
を備えている、装置。
（項目２）
前記少なくとも１つの電気泳動キャピラリと熱接触する少なくとも１つの温度センサであって、前記少なくとも１つの温度センサは、前記少なくとも１つの電気泳動キャピラリの温度データを提供する、少なくとも１つの温度センサと、
前記少なくとも１つの電気泳動キャピラリの温度のコントローラであって、前記コントローラは、前記少なくとも１つの温度センサからの温度データに応答して、前記少なくとも１つの電気経路を通る電流を変化させる、コントローラと
をさらに備えている、項目１に記載の装置。
（項目３）
前記少なくとも１つの電気経路は、少なくとも１つの抵抗を有し、前記少なくとも１つの抵抗は、前記少なくとも１つの電気経路と熱接触する前記少なくとも１つの電気泳動キャピラリの温度データを提供し、前記装置は、
前記少なくとも１つの電気泳動キャピラリの温度のコントローラをさらに備え、前記コントローラは、前記少なくとも１つの電気経路の前記少なくとも１つの抵抗からの温度データに応答して、前記少なくとも１つの電気経路を通る電流を変化させる、項目１に記載の装置。
（項目４）
前記回路基板に取り付けられた少なくとも１つの熱絶縁部材をさらに備え、前記少なくとも１つの熱絶縁部材は、前記少なくとも１つの電気経路および前記少なくとも１つの電気泳動キャピラリのそばに位置付けられ、前記少なくとも１つの熱絶縁部材は、（ｉ）前記少なくとも１つの電気経路および前記少なくとも１つの電気泳動キャピラリに取り付けられた前記回路基板の部分と、（ｉｉ）前記回路基板の残部との間の熱伝達を低減させる、項目１に記載の装置。
（項目５）
前記回路基板に取り付けられた少なくとも１つの開口をさらに備え、前記少なくとも１つの開口は、前記少なくとも１つの電気経路および前記少なくとも１つの電気泳動キャピラリのそばに位置付けられ、前記少なくとも１つの開口は、（ｉ）前記少なくとも１つの電気経路および前記少なくとも１つの電気泳動キャピラリに取り付けられた前記回路基板の部分と、（ｉｉ）前記回路基板の残部との間の熱伝達を低減させる、項目１に記載の装置。
（項目６）
前記少なくとも１つの電気経路は、前記少なくとも１つの電気泳動キャピラリの異なる区画と熱接触する複数の電気経路を含み、前記少なくとも１つの電気泳動キャピラリの異なる区画は、前記複数の電気経路のうちの異なる電気経路によって、別個に熱的に調整される、項目１に記載の装置。
（項目７）
前記装置は、
前記少なくとも１つの電気泳動キャピラリの異なる区画と熱接触する複数の温度センサであって、前記複数の温度センサは、前記少なくとも１つの電気泳動キャピラリの異なる区画の温度データを提供する、複数の温度センサと、
前記少なくとも１つの電気泳動キャピラリの異なる区画の温度のコントローラであって、前記コントローラは、前記複数の温度センサからの温度データに応答して、前記複数の電気経路を通る電流を変化させる、コントローラと
をさらに備えている、項目６に記載の装置。
（項目８）
前記複数の電気経路は、抵抗を有し、前記抵抗は、前記複数の電気経路と熱接触する前記少なくとも１つの電気泳動キャピラリの異なる区画の温度データを提供し、
前記装置は、
前記少なくとも１つの電気泳動キャピラリの異なる区画の温度のコントローラをさらに備え、前記コントローラは、前記複数の電気経路の抵抗からの温度データに応答して、前記複数の電気経路を通る電流を変化させる、項目６に記載の装置。
（項目９）
前記少なくとも１つの電気泳動キャピラリは、前記回路基板に取り付けられている、項目１に記載の装置。
（項目１０）
前記少なくとも１つの電気泳動キャピラリは、接着材料によって、前記回路基板に取り付けられている、項目１に記載の装置。
（項目１１）
前記少なくとも１つの電気経路は、前記少なくとも１つの高温エリア内を前後に走る電気経路、または複数の電気経路によって接続されている２つの電気ノードとして構成されている電気経路を含む、項目１に記載の装置。
（項目１２）
前記少なくとも１つの高温エリアは、幅５ｍｍ以上を有する、項目１に記載の装置。
（項目１３）
前記高温エリアは、前記電気絶縁回路基板に入る前記少なくとも１つの電気泳動キャピラリの部分のそばで拡大している、項目１に記載の装置。
（項目１４）
前記電気絶縁回路基板は、前記電気絶縁回路基板を通る開口を有し、前記開口は、前記少なくとも１つの電気泳動キャピラリとの光学相互作用を促進する、項目１に記載の装置。
（項目１５）
前記少なくとも１つの電気経路は、少なくとも１つの屈曲を有する、項目１に記載の装置。
（項目１６）
前記少なくとも１つの電気経路全体は、Ｓ形状を有する、項目１に記載の装置。
（項目１７）
（ａ）電気泳動熱アセンブリであって、
電気絶縁回路基板と、
前記回路基板に取り付けられている少なくとも１つの電気経路であって、前記少なくとも１つの電気経路は、前記少なくとも１つの電気経路を通る電流に応答して、熱的に調整される、少なくとも１つの電気経路と、
前記少なくとも１つの電気経路と熱接触する少なくとも１つの電気泳動キャピラリであって、前記少なくとも１つの電気泳動キャピラリは、前記少なくとも１つの電気経路を通る電流に応答して、熱的に調整される、少なくとも１つの電気泳動キャピラリと
を含む、電気泳動熱アセンブリと、
（ｂ）少なくとも１つの電気泳動検体を前記少なくとも１つの電気泳動キャピラリに注入するように連結されている少なくとも１つの検体注入器と、
（ｃ）前記少なくとも１つの電気泳動キャピラリの対向端に連結された電圧源であって、前記電圧源は、前記少なくとも１つの電気泳動キャピラリの対向端間に電気泳動電圧差を提供する、電圧源と、
（ｄ）レーザデバイスであって、前記レーザデバイスは、前記レーザデバイスから、前記少なくとも１つの電気泳動キャピラリに、ビームを送達するように位置付けられている、レーザデバイスと、
（ｅ）前記少なくとも１つの電気泳動キャピラリから、光学信号を受信するように光学的に連結されている光学検出器と
を備えている、装置。
（項目１８）
少なくとも１つの電気泳動キャピラリを通して検体を電気泳動的に移動させることと、
電気絶縁回路基板を通して電流を搬送する少なくとも１つの電気経路との熱接触を介して、前記少なくとも１つの電気泳動キャピラリを加熱することと
を含む、方法。
（項目１９）
前記少なくとも１つの電気経路と熱接触する前記少なくとも１つの電気泳動キャピラリの温度データを生成することと、
前記少なくとも１つの電気経路の温度データに応答して、前記少なくとも１つの電気経路を通る電流を変化させることと
をさらに含む、項目１８に記載の方法。
（項目２０）
前記少なくとも１つの電気泳動キャピラリのうちの少なくとも１つの温度センサを介して、前記少なくとも１つの電気経路と熱接触する前記少なくとも１つの電気泳動キャピラリの温度データを生成することと、
前記少なくとも１つの温度センサからの温度データに応答して、前記少なくとも１つの電気経路を通る電流を変化させることと
をさらに含む、項目１８に記載の方法。
（項目２１）
前記少なくとも１つの電気泳動キャピラリのうちの少なくとも１つの抵抗を介して、前記少なくとも１つの電気経路と熱接触する前記少なくとも１つの電気泳動キャピラリの温度データを生成することと、
前記少なくとも１つの抵抗からの温度データに応答して、前記少なくとも１つの電気経路を通る電流を変化させることと
をさらに含む、項目１８に記載の方法。
（項目２２）
（ｉ）前記少なくとも１つの電気経路および前記少なくとも１つの電気泳動キャピラリに取り付けられた前記回路基板の部分と、（ｉｉ）前記回路基板の残部との間の熱伝達を低減させることをさらに含む、項目１８に記載の方法。
（項目２３）
少なくとも１つの開口によって、（ｉ）前記少なくとも１つの電気経路および前記少なくとも１つの電気泳動キャピラリに取り付けられた前記回路基板の部分と、（ｉｉ）前記回路基板の残部との間の熱伝達を低減させることとをさらに含む、項目１８に記載の方法。
（項目２４）
前記加熱することは、
前記電気絶縁回路基板を通る電流を搬送する複数の電気経路との熱接触を介して、前記少なくとも１つの電気泳動キャピラリの異なる区画を別個に加熱することを含む、項目１８に記載の方法。
（項目２５）
前記少なくとも１つの電気泳動キャピラリの異なる区画の温度データを生成することと、
前記少なくとも１つの電気泳動キャピラリの異なる区画からの温度データに応答して、前記複数の電気経路を通る電流を変化させることと
をさらに含む、項目２４に記載の方法。
（項目２６）
前記少なくとも１つの電気泳動キャピラリの異なる区画の異なる温度センサを介して、前記少なくとも１つの電気泳動キャピラリの異なる区画の温度データを生成することと、
前記少なくとも１つの電気泳動キャピラリの異なる区画からの温度データに応答して、前記複数の電気経路を通る電流を変化させることと
をさらに含む、項目２４に記載の方法。
（項目２７）
前記複数の電気経路の抵抗を介して、前記少なくとも１つの電気泳動キャピラリの異なる区画の温度データを生成することと、
前記少なくとも１つの電気泳動キャピラリの異なる区画からの温度データに応答して、前記複数の電気経路を通る電流を変化させることと
をさらに含む、項目２４に記載の方法。
（項目２８）
少なくとも１つの検体を前記少なくとも１つの電気泳動キャピラリに注入することをさらに含む、項目１８に記載の方法。
（項目２９）
前記少なくとも１つの電気泳動キャピラリ内の少なくとも１つの検体を光学的に励起することと、
前記励起された少なくとも１つの検体からの光学信号を検出することと
をさらに含む、項目１８に記載の方法。
（項目３０）
複数の電気泳動キャピラリと、
レーザデバイスであって、前記レーザデバイスから、前記複数の電気泳動キャピラリのうちの少なくとも１つの電気泳動キャピラリにビームを送達するように位置付けられている、レーザデバイスと、
前記複数の電気泳動キャピラリのうちの少なくとも１つの電気泳動キャピラリから、光学信号を受信するように光学的に連結されている光学検出器と、
光学セレクタであって、前記レーザデバイス、前記光学検出器、および前記光学セレクタは、前記光学検出器に、前記複数の電気泳動キャピラリのうちの任意の１つ以上から、光学信号を選択的に検出させる配列にある、光学セレクタと
を備えている、装置。
（項目３１）
前記複数のキャピラリは、アレイとして配列されている、項目３０に記載の装置。
（項目３２）
前記光学セレクタは、前記レーザデバイスからのビームが、前記複数の電気泳動キャピラリのうちの単一の電気泳動キャピラリに送達され、前記複数の電気泳動キャピラリのうちの他の電気泳動キャピラリには送達されないように、前記レーザデバイスと前記複数の電気泳動キャピラリとの間に光学的に位置付けられている、項目３０に記載の装置。
（項目３３）
前記光学セレクタは、前記レーザデバイスからのビームを前記単一の電気泳動キャピラリに方向づけ、前記複数の電気泳動キャピラリのうちの他の電気泳動キャピラリには方向づけない走査用対物レンズである、項目３２に記載の装置。
（項目３４）
前記光学セレクタは、前記レーザデバイスからのビームを前記単一の電気泳動キャピラリに通し、前記複数の電気泳動キャピラリのうちの他の電気泳動キャピラリには通さない開口である、項目３２に記載の装置。
（項目３５）
前記単一の電気泳動キャピラリからの前記ビームの反射を受光するように光学的に連結されているキャピラリ整列検出器をさらに備え、前記反射は、前記単一の電気泳動キャピラリとの前記ビームの整列を示す、項目３２に記載の装置。
（項目３６）
前記光学セレクタは、前記複数の電気泳動キャピラリから前記光学検出器への光学信号が、前記複数の電気泳動キャピラリのうちの単一の電気泳動キャピラリに限定されるように、前記複数の電気泳動キャピラリと前記光学検出器との間に光学的に位置付けられている、項目３０に記載の装置。
（項目３７）
前記レーザデバイスと前記光学検出器との間に光学的に連結されている波長依存ビーム結合器をさらに備えている、項目３０に記載の装置。
（項目３８）
前記レーザデバイスと前記光学検出器との間に光学的に連結されている空間ビーム結合器をさらに備えている、項目３０に記載の装置。
（項目３９）
前記光学セレクタは、前記レーザデバイスから走査用対物レンズに入るビームに対して、横断運動を行なうように適応されている走査用対物レンズである、項目３２に記載の装置。
（項目４０）
複数の電気泳動キャピラリを通して検体を電気泳動的に移動させることと、
前記複数の電気泳動キャピラリのうちの第１の電気泳動キャピラリ内の少なくとも１つの検体を光学的に励起することと、
光学検出器において、前記複数の電気泳動キャピラリのうちの第１の電気泳動キャピラリの光学的に励起された少なくとも１つの検体からの光学信号を受信することと、
前記複数の電気泳動キャピラリのうちの第２の電気泳動キャピラリ内の少なくとも１つの検体を光学的に励起することと、
前記光学検出器において、前記複数の電気泳動キャピラリのうちの第２の電気泳動キャピラリの光学的に励起された少なくとも１つの検体からの光学信号を受信することと
を含む、方法。
（項目４１）
前記光学的に励起することは、
前記複数の電気泳動キャピラリのうちの単一の電気泳動キャピラリ内の少なくとも１つの検体を光学的に励起することを含む、項目４０に記載の方法。
（項目４２）
前記光学的に励起することは、
光学的に励起された検体を有する前記単一の電気泳動キャピラリが経時的に変化するように、前記複数の電気泳動キャピラリにわたってレーザビームを横断させることを含む、項目４１に記載の方法。
（項目４３）
単一の電気泳動キャピラリからのレーザビームの反射に基づいて、前記単一の電気泳動キャピラリとの前記レーザビームの整列を検出することとをさらに含む、項目４２に記載の方法。
（項目４４）
前記横断させることは、
固定されたビーム結合器内に前記レーザビームおよび前記光学信号を維持しながら、光学対物レンズを横断させることにより、前記レーザビームを横断させることをさらに含む、項目４２に記載の方法。
（項目４５）
前記横断させることは、
光学対物レンズおよびビーム結合器を横断させることにより、前記レーザビームを横断させることをさらに含む、項目４２に記載の方法。
（項目４６）
前記横断させることは、
光学対物レンズの第１の側において、レーザデバイスから、前記レーザビームを受光することと、
前記光学対物レンズの第２の側から前記複数の電気泳動キャピラリに向けて前記レーザビームを通すことと、
前記光学対物レンズの第１の側において、前記レーザビームに対して前記光学対物レンズを横断させ、前記光学対物レンズの第２の側において、前記レーザビームを前記複数の電気泳動キャピラリにわたって横断させることと
をさらに含む、項目４２に記載の方法。
（項目４７）
前記光学的に励起することは、
前記複数の電気泳動キャピラリのうちの複数の電気泳動キャピラリ内の少なくとも１つの検体を光学的に励起することを含み、
前記方法は、
前記光学信号を前記複数の電気泳動キャピラリのうちの単一の電気泳動キャピラリから前記光学検出器に通し、前記複数の電気泳動キャピラリのうちの他の電気泳動キャピラリからの前記光学信号を遮断することをさらに含む、項目４０に記載の方法。
（項目４８）
前記光学的に励起することは、
通される光学信号を生じる前記単一の電気泳動キャピラリが経時的に変化するように、前記複数の電気泳動キャピラリからの光学信号にわたって光学セレクタを横断させることを含む、項目４７に記載の方法。
（項目４９）
電気絶縁回路基板を通して電流を搬送する異なる電気経路との熱接触を介して、少なくとも１つのキャピラリの異なる区画内の温度を別個に調整することと、
前記少なくとも１つのキャピラリを通して検体を移動させることと
を含み、
前記少なくとも１つのキャピラリは、前記少なくとも１つの電気泳動キャピラリの別個に熱的に調整された異なる区画において生化学的活性をサポートする、
方法。
（項目５０）
前記生化学的活性は、ポリメラーゼ連鎖反応であり、前記少なくとも１つの電気泳動キャピラリの異なる区画は、前記ポリメラーゼ連鎖反応の異なる温度サイクルのための異なる温度を有する、項目４９に記載の方法。
【００４３】
（参照による引用）
本明細書に記載されるすべての刊行物および特許出願は、各個々の刊行物または特許出願が、具体的かつ個々に、参照することによって組み込まれることが意図される場合と同程度に、参照することによって、本明細書に組み込まれる。
【００４４】
本発明の新規特徴は、とくに、添付の請求項において記載される。本発明の特徴および利点のさらなる理解は、本発明の原理が利用される、例証的実施形態を記載する、以下の発明を実施するための形態と、付随の図面を参照することによって、得られるであろう。
【図面の簡単な説明】
【００４５】
【図１】図１は、熱アセンブリの回路基板部品の上面図である。
【図１Ａ】図１Ａは、図１の熱アセンブリの電気経路の拡大図である。
【図２】図２は、回路基板、回路基板上の電気経路、キャピラリの束、および温度センサを伴う熱アセンブリの上面図である。
【図３】図３および４は、電気泳動システムの光学サブシステムの簡略化された略図である。
【図４】図３および４は、電気泳動システムの光学サブシステムの簡略化された略図である。
【図５】図５、６、７、および８は、電気泳動システムの種々の斜視図である。
【図６】図５、６、７、および８は、電気泳動システムの種々の斜視図である。
【図７】図５、６、７、および８は、電気泳動システムの種々の斜視図である。
【図８】図５、６、７、および８は、電気泳動システムの種々の斜視図である。
【図９】図９は、電気泳動システムのブロック図である。
【図１０】図１０は、温度調整システムのブロック図である。
【図１１】図１１は、光のビームを狭小化し、実質的に、狭小検出器に沿って、降下するように構成される、円筒形レンズを備えている、本発明の代替光学サブシステムを示す。
【図１２】図１２は、また、２つのミラー間にレンズを備え、キャピラリ検出器上に光を集束する、レンズを備えている、図１１の光学列の側面斜視図を示す。
【図１３】図１３は、２つの電気ノードおよびノードを継合する複数の平行電気線を備えている、電気経路を示す。それらは、一緒に、高温エリアを形成する。
【発明を実施するための形態】
【００４６】
図１は、熱アセンブリの回路基板部品の上面図である。
【００４７】
電気絶縁回路基板は、キャピラリの設置のために、略Ｓ形状経路を有する。略Ｓ形状経路は、６つの異なる区画１２、１４、１６、１８、２０、および２２に分割される。これらの６つの異なる区画１２、１４、１６、１８、２０、および２２は、別個に、特定の区画と熱接触する、キャピラリの部分内の温度を調整する。異なる区画１２、１４、１６、１８、２０、および２２の各々は、その区画のエリアを充填するために、その区画のエリア内に、例えば、蛇行形状に前後に走る電気経路によって充填される。前後に走る、本電気経路は、区画２２内に詳細に示される。例証における明確性の目的のために図示されないが、他の区画１２、１４、１６、１８、および２０もまた、その区画のエリアを充填するために、その区画のエリア内に前後に走る電気経路によって充填される。
【００４８】
別の実施形態では、高温エリアが、一緒に継合される平行トレースにおいて（例えば、電圧源または電流源に取り付けられている共通トレースにおいて）構成される電気経路から形成され得る。本構成のバージョンは、図１３に描写される。
【００４９】
回路基板はまた、キャピラリの設置のために、略Ｓ形状経路の両側に沿って走る、１列の開口１０を有する。開口は、回路基板の略Ｓ形状経路と回路基板の残部との間の熱伝達を低減させる。空気は、優れた熱絶縁体であるため、熱伝達は、回路基板の２つの部品間で低減される。回路基板自体もまた、低熱導体である。別の実施形態では、１列の開口の代わりに、低熱伝導性材料が、回路基板のこれらの２つの部品間に位置付けられる。そのような熱伝達の低減は、略Ｓ形状経路および略Ｓ形状経路上に設置されたキャピラリの熱調整を容易にする。開口は、実質的に、略Ｓ形状経路および略Ｓ形状経路上に設置されたキャピラリに対する熱的に調整される領域の熱質量を低減させる役割を果たす。熱質量が少ない場合、所望の温度は、略Ｓ形状経路および略Ｓ形状経路上に設置されたキャピラリに対して、迅速に到達される。本実施形態は、ほとんどエネルギーを要求しない。また、Ｓ形状構成は、空間をほとんど占有せず、デバイスをより容易に可搬性とする。
【００５０】
回路基板はまた、略Ｓ形状経路に沿って、略Ｓ形状経路の出口端に向かって、開口８を含む。回路基板材料がないので、開口８は、開口８上に設置される、キャピラリとの光学相互作用を促進する。開口８は、落射蛍光および種々の非対称照射方式等の光学構成を使用して、蛍光励起および検出を可能にする。
【００５１】
図１Ａは、図１の熱アセンブリの電気経路の拡大図である。
【００５２】
種々の実施形態における電気経路は、電気絶縁回路基板上に接合される、パターン化、またはエッチングされる、伝導性トレースである。パターン化された電気経路は、望ましくない伝導性材料を除去し、所望の伝導性経路を残す、「減算」パターン化によって、または付加的伝導性材料を追加し、所望の伝導性経路を形成する、「加算」パターン化によって、画定され得る。回路基板は、単一層回路基板上または多層回路基板の一部として、伝導性経路を有し得る。
【００５３】
電気経路内の伝導性材料の種々の実施例は、銅、アルミニウム、銀等の金属材料、または黒鉛等の非金属伝導性材料、または伝導性インクであるが、任意の他の伝導性材料であり得る。
【００５４】
電気経路の伝導性材料とは対照的に、回路基板材料は、非伝導性であって、一般的には、誘電材料である。
【００５５】
各電気経路は、高温エリアを生成および画定する。本実装は、６つの加熱エリアを有し、それぞれ、以下に示されるヒータ形状を生成するために必要とされる形状に折り畳まれる、約ｌｍの１５０ｕｍ幅の銅トレースから成る。種々の実施形態は、検体の電気泳動分離のために適切な長さに応じて、ｌｍより短いまたは長いトレースの長さまで様々である。種々の実施形態は、熱的に連結されたキャピラリの熱調整のための適切な熱を生成するための電気経路の適切な抵抗に応じて、電気経路の幅を拡大または縮小させる。種々の実施形態は、加熱エリアの数を増加または減少させる。
【００５６】
いくつかの実施形態では、トレース等の電気経路は、０．０００１から０．５インチの範囲の幅、および０．２５から７５０インチの範囲の長さを有する。
【００５７】
キャピラリ内で電気泳動を行なうことによって、キャピラリ壁を通して、熱を効果的に消散させる。これによって、高速分離を達成するために、高電圧を使用されることが可能となる。
【００５８】
図２は、回路基板、回路基板上の電気経路、キャピラリの束、および温度センサを伴う熱アセンブリの上面図である。
【００５９】
図１および１Ａに示される回路基板等の回路基板上では、電気泳動キャピラリは、接着材料等によって、略Ｓ形状経路に取り付けられている。本形状は、キャピラリの随意の配列である。他の湾曲または線形配列も、想定される。示される実施形態では、８つのキャピラリの束が、取り付けられている。他の実施形態は、検体の並行処理のための特定の電気泳動用途の要件に応じて、１からそれ以上の数に及ぶ、任意の他の数のキャピラリを有する。キャピラリの入口端５４は、散開端を有し、異なるキャピラリへの検体の注入を促進する。キャピラリの出口端５６は、図中では、一緒に束にされたままである。
【００６０】
略Ｓ形状経路の別個に熱的に調整されるエリアまたは区画のそれぞれでは、温度センサは、熱接触にある。示される温度センサは、３２、３４、３６、３８、４０、および４２である。温度センサ４２は、キャピラリとは熱接触しないが、回路基板自体、または代替として、周囲空気と熱接触する。温度センサの実施例は、サーミスタまたは他の温度可変抵抗、あるいは熱電対または他の温度可変電圧源である。別の実施形態では、別個に熱的に調整される区画の温度データは、個別の温度センサによって収集されず、電気経路の抵抗等によって、電気経路自体によって、収集される。
【００６１】
示される実施形態では、温度センサは、熱絶縁開口のアレイの回路基板外側の部分で終端するトレースに取り付けられている、サーミスタである。サーミスタは、キャピラリアレイを横切って折り畳まれ、キャピラリアレイを基板に接合する接着剤内に埋設され、サーミスタとキャピラリとの間の良好な熱接触を保証する一方、ヒータからの熱損失を最小限にする。
【００６２】
そのような温度センサによって生成される温度データは、電気経路と熱接触する、キャピラリの温度を熱的に調整するのを支援する。電気経路を通る電流は、ジュール加熱を介して、電気経路内に熱エネルギーを付与する。付与された熱エネルギーの量は、電流量および電気経路の抵抗に伴って変動する。
【００６３】
（光学検出器）
図３、４、１１、および１２は、電気泳動システムの光学サブシステムの簡略化された略図である。
【００６４】
図３では、励起ビーム１７０の励起源は、固体レーザであって、その出力は、対物レンズ１６０の直上の光学経路内に４５度の角度で設置されるビーム結合器１６２を使用して、キャピラリ１７４内に投影される。種々の実施形態では、ビーム結合器は、透明ガラスシート上に設置された小型反射性ドット等の波長感応性リフレクタまたは空間ビームスプリッタを備えている。ビーム結合器は、波長依存性であって、空間ビーム結合器より整列が容易である。
【００６５】
高開口数対物レンズは、キャピラリ１７４に向かって進む励起ビーム１７０と、キャピラリ１７４からの放出された蛍光の光学信号の両方によって、使用される。
【００６６】
キャピラリ１７４の検体から放出される蛍光の光学信号は、対物レンズ１６０によって平行にされる。光学信号は、波長感応性リフレクタ１６２を通過し、励起ビーム１７０を含む光学信号の一部を拒否する、ロングパスフィルタ１６４に衝突する。
【００６７】
蛍光検出方式は、プリズム分光計ベースである。光学信号は、次いで、波長に従って、光線の角度を変化させる役割を果たす、分散プリズム１６６上に投影される。本分散された光学信号は、次いで、分散された光学信号の異なる波長を検出器１７０の平面上の異なる場所に集束させる、像形成レンズ１６８を使用して、検出器１７０の平面上に集束される。検出器１７０の実施例は、ＣＣＤカメラである。代替は、ＣＭＯＳカメラまたは他の光学センサである。
【００６８】
一実施形態では、前述の光学サブシステムは、点検出器であって、単一キャピラリからの検体の光学信号を検出する。他の実施形態では、光学サブシステムはさらに、キャピラリのアレイの蛍光を励起および検出するための付加的構成要素を含む。
【００６９】
第１の実施形態では、成形された励起ビームは、キャピラリのアレイのアレイ全体を同時に照射する。これは、並行して、全キャピラリのスペクトルから成る像を検出器の平面上に生成する。本配列は、チャネル間のクロストークをもたらし得る。一実施形態では、成形された励起ビームが、キャピラリのアレイのアレイ全体を同時に照射後、キャピラリのアレイと検出器との間の開口等のフィルタが、余剰キャピラリからの光学信号を排除し、それによって、クロストークに対処する。
【００７０】
別の実施形態では、アレイ内の全キャピラリからの情報を捕捉するために、対物レンズは、アレイにわたって走査される。本実施形態では、対物レンズは、対物レンズが移動するのに伴って、対物レンズを出るレーザビームがキャピラリに衝打する点が、横断し、それによって、選択されたキャピラリを励起させるように、対物レンズに入るレーザビームに対して移動される。本構成では、キャピラリ間のクロストークは、１つのキャピラリのみ、１回に照射されるため、排除される。
【００７１】
２００ｕｍ径のキャピラリを備えているアレイの場合、検出デバイスのための走査範囲は、８つのチャネルアレイに対して、＋／−０．８ｍｍを対象とする。本限定走査範囲は、可動部品の数を最小限にする。他の実施形態は、異なる数のキャピラリおよび／または異なる数のキャピラリに対応するために、走査範囲を拡大あるいは縮小する。対物レンズ１６０のみが移動するため、励起レーザビーム１７０は、ビーム１７０が、アレイ内の端部キャピラリの上部に位置する場合でも、対物レンズ１６０の中心に対して、非常に近接したままである。励起ビーム１７０は、アレイ内のキャピラリの場所に応じて、異なる角度でキャピラリに衝突する。
【００７２】
一実施形態では、対物レンズ１６０は、連続的に、または走査間隔の間、連続的に、移動される。後述のキャピラリ検出器１７２の入力の場合、ソフトウェアおよび／または器具の電子機器が、対物レンズが選択されたキャピラリの上を通過するであろうことを予測する。検出器１７０は、対物レンズが、選択されたキャピラリの上を通過するのに伴って、オンにされる。代替として、検出器１７０は、対物レンズが、選択されたキャピラリの上を通過するかどうかに関わらず、オンにされたままであることができ、検出器１７０からのデータは、検出器１７０が、選択されたキャピラリの上を通過していないときに、廃棄され、検出器１７０が、選択されたキャピラリの上を通過しているときに、収集または処理される。
【００７３】
別の実施形態では、対物レンズ１６０は、対物レンズが、キャピラリ間の空間の上を通過するときに、対物レンズが、迅速に移動し、次いで、検出器１７０が、選択されたキャピラリから光学信号を収集するために、十分に長く、選択されたキャピラリの上で停止するように、断続的に移動される。これは、例えば、ステッパモータを使用することによって、達成することができる。
【００７４】
同様に、蛍光放出の光学信号は、プリズム１６６およびプリズム１６８背後のレンズ面にわたって移動するが、スペクトル像は、プリズム１６６が、平行になった光学空間内に位置するため、対物レンズの場所に関わらず同一場所に残る。
【００７５】
キャピラリ検出器１７２は、走査用対物レンズ１６０が、各キャピラリを横断するときに、キャピラリから、励起ビーム１７０の反射を受信する。反射は、各キャピラリの上部に対する走査用対物レンズ１６０の位置の関数として、強度が変動する。これは、キャピラリの場所およびキャピラリに対するレーザビームの整列を決定するソフトウェアおよび／または器具内に埋設された電子機器によって使用される、個別の強度プロファイルをもたらす。その情報は、次いで、検出器１７０に衝打する光学信号のデータ取得をトリガするために使用される。
【００７６】
図４では、光線トレースは、放出経路の機械的中心から１ｍｍずれた対物レンズの影響を示す。
【００７７】
図４は、光学経路の「端面図」を示す。図４は、キャピラリ１７６の像上に、対物レンズ１６０を走査する影響を例証する。プリズム１６６は、平行になった光学空間内に位置するため、スペクトルは、対物レンズ１６０の場所に関わらず、検出器１７０の同一場所に残る。
【００７８】
ビーム結合器の周囲に光学経路を配列する代替を対象とする、種々の実施形態が存在する。
【００７９】
一実施形態では、静止ビーム結合器は、レーザデバイスから、キャピラリに、励起ビームを反射し、キャピラリ内の検体から放出された蛍光を検出器に伝送するダイクロイックミラーを使用する。本実施形態は、質量移動がほとんどないため、運動機構が、より単純であるという点において、有利である。しかしながら、固定されたビーム結合器を伴ういくつかの実施形態は、走査可能キャピラリの数を限定する。
【００８０】
別の実施形態では、ビーム結合器は、図４では、垂直軸に対して、９０度、回転される。そのような構成では、ビーム結合器は、ＣＤまたはＤＶＤプレーヤ同様に、対物レンズとともに移動する。そのような幾何学形状は、固定されたビーム結合器の境界によって限定されることなく、より大きなキャピラリのアレイを走査する。
【００８１】
ビーム結合器を伴う別の実施形態では、レーザビームが伝送され、試料から放出された蛍光光学信号が、反射される。そのようなシステムでは、励起および放出経路は、場所を変化させる。
【００８２】
別の実施形態は、波長依存ビーム結合器ではなく、空間ビーム結合器を伴うシステムを実装する。空間ビーム結合器は、放出経路の弧の一部を対象とする小型ミラーとして実装される。励起レーザは、そのミラーに反射するように整列される。ミラーの物理的実装は、代替として、適切な場所に保持される、光学ガラス片または小型の物理的ミラー上の小反射エリアである。
【００８３】
別の実施形態では、励起レーザビームは、放出の大部分を検出器に向かって反射する、固体ミラー内の小型開口部を通過する。再び、開口部は、ミラー内の物理的孔、または単純に、別様に、ミラーコーティングによってコーティングされる、ガラス基板上の非反射エリアであり得る。
【００８４】
種々の実施形態では、上の２つの場合におけるミラー／開口は、システムの光学軸上またはそこからずれて位置する。
【００８５】
図１１および１２に描写される別の実施形態では、光学経路は、検出経路内に円柱レンズを備え、蛍光検出経路の放出経路の整列感度を低減させ、大きな長さ対幅比を有する（線またはスペクトル検出目的のために設計される）幾何学形状を伴う検出器の使用を可能にする。
【００８６】
別の実施形態は、随意に、キャピラリ内に長楕円形励起スポットをもたらし、スペクトル分解能に影響を及ぼすことなく、キャピラリ内側のより大量の標識された分子を励起させる、励起経路内の円筒形レンズを備えている。これは、特に、染料の潜在的光退色を考慮する場合、検出される光学信号の信号対雑音比を改善する。
【００８７】
図５、６、７、および８は、電気泳動システムの種々の斜視図である。
【００８８】
電気泳動システムのレイアウトは、概して、２つのエリア：ｉ）レーザまたは他の励起光学１０４、キャピラリ検出サブシステム、およびキャピラリを横切って対物レンズを移動させるために使用されるアクチュエータと、ｉｉ）ヒータ、キャピラリアレイ、ならびに回路基板下のアノードおよびカソードアセンブリを含む、ユニットの電気泳動エリア１０２とに分割される。２つのエリアは、垂直壁によって分割される。
【００８９】
図５では、実験用回路板実装が、示される。検出器１１０は、ＣＣＤカメラである。別の実施形態は、一次元検出器アレイを使用する。
【００９０】
ヒータアセンブリの置換は、ロッキングレバー１０８を折り畳み、上部アクセスを完成するために、回路基板１０６のスライド搭載アセンブリを取り出すことによって、容易に達成することができる。
【００９１】
折り畳み式ミラー搭載部１３４およびペンタプリズム１３２は、システムの光学整列を提供する。ペンタプリズム１３２は、別の実施形態では、ミラーによって置換される。
【００９２】
図６では、電気泳動回路基板への物理的アクセスが、実装される。
【００９３】
ロッキングレバーは、サービスアクセス位置にあって、キャピラリアレイアセンブリは、サービス位置にある。
【００９４】
図７は、対物レンズの走査機構の詳細図を示す。
【００９５】
スキャナのための正確な線形運動を生成する、多くの実施形態が存在する。示される実施形態は、偏心ディスク１２２として実装される、カム駆動システムであるが、線形ソレノイドアクチュエータ、検流計機構、および圧電アクチュエータ等の多くの他の実施形態が存在する。
【００９６】
図８は、対物レンズの走査機構の別の詳細図を示す。
【００９７】
対物レンズ搭載部１１８は、その運動を制御する、交差ローラスライド１２０に取り付けられている。ボール軸受は、対物レンズ搭載部１１８の端部に搭載され、バネ（図示せず）によって、偏心ディスク１２２に対して保持される。キャピラリを横切る対物レンズの線形前後運動は、モータを使用して、偏心ディスク１２２を回転させることによって生成される。
【００９８】
プリント回路基板ヒータは、キャピラリを走査光学の焦点面に整列するように調節されるスキャナ焦点１２４を画定するハードストップに対して、保持される。焦点面は、調節ネジ１３８によって、調節可能である。
【００９９】
本装置の多くの異なる実施形態が存在する。対物レンズをフレクシャー（ｆｌｅｘｕｒｅ）に搭載することによって、交差ローラ軸受スライドの必要性を排除する。音声コイルまたは類似アクチュエータもまた、線形運動を生成することができる。
【０１００】
図９は、電気泳動システムのブロック図である。
【０１０１】
図２に示されるもの等の電気泳動熱アセンブリ２１０は、回路基板上の電気経路と熱接触する、１つ以上の電気泳動キャピラリを有する。電圧源２０８は、キャピラリ３２のキャピラリ入口２０４およびキャピラリ出口２０６にわたって、電圧差を印加することによって、キャピラリ電気泳動を促進する。一実施形態では、アレイのカソードは、キャピラリの入口端に対応する三角形形状の電気経路下方の回路基板下に位置し、アレイのアノードは、キャピラリの出口端下方の回路基板下に位置する。
【０１０２】
検体注入器は、検体をキャピラリ入口２０４に追加する。注入された検体は、キャピラリ３２を通って、電気泳動的に移動される。注入器タイプの実施例は、重力注入、圧力または水力学的注入、および動電学的注入である。試料は、試料の上流および下流のガス塊によって隔離することができる。電気泳動緩衝剤もまた、キャピラリに流入することができる。
【０１０３】
例示的試料注入手順は、キャピラリおよび電極を試料溶液バイアル内に浸漬し、電圧を印加することである。試料がイオン化され、適切な電圧極性が使用される場合、試料イオンは、キャピラリ内に移動するであろう。本タイプの注入は、動電学的試料採取として知られる。キャピラリは、キャピラリの内側を通して電流を伝導させる、電解質溶液によって充填される。キャピラリの端部は、電解質によって充填されたリザーバに浸漬される。
【０１０４】
代替実施形態は、ポリマーを絡ませる物理的ゲル、または共有結合構造を伴う化学ゲルを伴う、キャピラリゲル電気泳動を使用する。
【０１０５】
個別の温度センサまたは電気経路自体から温度データを生成する実施形態では、コントローラ２２０は、電流を上昇または降下させることにより、キャピラリの所望の温度を達成するか、または、キャピラリの特定の部分と熱接触する電気経路に対応する、該キャピラリの特定の部分の所望の温度を達成する。温度コントローラ２２０は、基板上の経路またはトレースを通して、電流を走らせ、トレースの抵抗によって、それらを加熱させる。コントローラを起動するソフトウェアは、センサによって収集された温度情報を利用して、種々の制御アルゴリズムのいずれかを使用して、個々の電気経路の温度を制御し、キャピラリの経路に沿って均一温度を達成する。一実装における温度コントローラは、別個のプリント回路基板上に格納され、ＰＩＤタイプ制御アルゴリズムを使用して温度を制御し、各電気経路の温度を管理するマイクロコントローラに基づく。動作時の基板の熱撮像は、２℃のピーク間熱均一性が、キャピラリの全長にわたって達成可能であることを示す。
【０１０６】
レーザデバイス２１２、光学検出器２１６、ならびに光学セレクタ＃１  ２１４および光学セレクタ＃２  ２１８の一方または両方は、光学信号を単一キャピラリに限定するように配列される。レーザデバイス２１２とキャピラリ３２との間の光学セレクタ＃１  ２１４の場合、光学セレクタ＃１  ２１４は、レーザデバイスからのビームを単一キャピラリ内の励起検体に限定する。キャピラリ３２と光学検出器２１６との間の光学セレクタ＃２  ２１８の場合、レーザデバイス２１２からのビームは、１つのキャピラリまたは複数のキャピラリ内の検体を励起し得るが、光学セレクタ＃２２１６は、１つのキャピラリまたは複数のキャピラリからの光学信号を単一の電気泳動キャピラリに限定する。
【０１０７】
種々の実施形態では、キャピラリ管は、外径約１５０から５００ミクロンおよび内径約１０から１００ミクロンを有する。種々の実施形態では、キャピラリは、ポリイミドまたはポリテトラフルオロエチレンクラッドである。キャピラリは、電気泳動分離要件に応じて、約２から１００ｃｍ長であることができる。
【０１０８】
移動時間（ｔｍ）は、キャピラリの開始から検出器窓に移動するまでの時間である。電気泳動移動性ｍｕ（ｃｍ２／Ｖｓ）は、電場強度Ｅ（Ｖ／ｃｍ）によって除算された電気泳動速度ｖｅｐ（ｃｍ／ｓ）である。
【０１０９】
速度は、移動時間を検出器Ｌｄまでのキャピラリの長さによって除算することによって測定される。移動性は、緩衝剤タイプ、ｐＨ、および温度に非常に依存する。温度が上昇するのに伴って、粘度は、低下し、および電気泳動移動性も同様に増加する。故に、温度が高いほど、電気泳動プロセスを加速させる。
【０１１０】
図１０は、温度調整システムのブロック図である。温度調整システムの一実施形態は、熱循環システムである。
【０１１１】
ある生化学反応は、適切な温度範囲を要求する。キャピラリ管内で行なわれる生化学反応の場合、試料は、特定の温度において、キャリラリのある区分内へと移動する。次いで、試料の温度は、キャピラリ区分の温度を変化させることにより、一連のキャピラリ区分を有し、試料を後続区分内に移動させることにより、または、いくつかの組み合わせ等によって変化させることができる。
【０１１２】
いくつかの実施形態は、温度変化を要求する生化学反応、例えば、ポリメラーゼ連鎖反応等の熱循環反応と、後続生成物分析（図９の電気泳動システムを介して等）とを行なう。本デバイスは、異なる電気経路内の異なる温度の熱循環、または、異なる電気経路に沿った等温反応のために使用することができる。
【０１１３】
図１０に示されるもの等の温度調整アセンブリ３１０は、回路基板上の電気経路と熱接触する、１つ以上の電気泳動キャピラリを有する。キャピラリ３０２は、キャピラリ入口３０４およびキャピラリ出口３０６を有する。
【０１１４】
検体注入器、例えば、ＤＮＡ断片注入器は、検体をキャピラリ入口３０４に追加する。
【０１１５】
個別の温度センサまたは電気経路自体から温度データを生成する実施形態では、コントローラ３２０は、電流を上昇または降下させ、キャピラリの所望の温度を達成するか、または、キャピラリの特定の部分と熱接触する電気経路に対応するキャピラリの特定の部分の所望の温度を達成する。温度コントローラ３２０は、基板上の経路またはトレースを通して電流を走らせ、トレースの抵抗によって、それを加熱させる。コントローラ内で起動するソフトウェアは、センサによって収集された温度情報を利用して、種々の制御アルゴリズムのいずれかを使用して、個々の電気経路の温度を制御し、キャピラリの経路に沿って、均一温度を達成する。一実装における温度コントローラは、別個のプリント回路基板上に格納され、ＰＩＤタイプ制御アルゴリズムを使用して、温度を制御し、各電気経路の温度を管理する、マイクロコントローラに基づく。動作時の基板の熱撮像は、２°Ｃのピーク間熱均一性が、キャピラリの全長にわたって達成可能であることを示す。
【０１１６】
ＰＣＲは、典型的には、以下のステップおよび温度を伴う。初期化ステップ−−９４−９６°Ｃ、１−９分間。変性ステップ−−９４−９８°Ｃ、２０−３０秒間。アニーリングステップ−−５０−６５°Ｃ、２０−４０秒間。伸展／伸長ステップ−−約７２°Ｃ。最終伸長−−７０−７４°Ｃ、５−１５分間。最終保持−−４−１５°Ｃ、不特定時間。典型的２ステップＰＣＲプロセスでは、アニーリングおよび伸展のための温度は、同一または略同一である。
【０１１７】
これらのステップは、必要に応じて、十分な増幅を行なうために反復することができる。
【０１１８】
キャピラリは、反応混合物と、検体、例えば、試料から濃縮された核酸（集合的に、ＰＣＲ反応試料と称される）とを含む。光学アセンブリは、反応を監視または制御するために使用することができる。光学アセンブリは、光を導入または検出することができる。例えば、光学アセンブリは、リアルタイムＰＣＲまたは他のリアルタイムまたは終点測定を行なうために使用することができる。
【０１１９】
一実施形態では試料調製デバイスは、流水式熱循環装置として、温度変調器とともに使用することができる。流体を移動させるための駆動力は、外部圧力源または内部圧力源であることができる。流水式熱循環装置は、ＰＣＲ等の高感度または高処理能温度変化反応が所望される場合、使用することができる。高感度ＰＣＲアッセイにおいて、空気、血液、水、唾液、細胞試料、または他の媒体の試料を採取することが所望され得る、多くの状況が存在する。これは、インフルエンザ、細菌性病原体、および任意の数のウイルスまたは細菌性病原体を含む、種々の生物学的汚染物質を探すために使用することができる。流水式ＰＣＲは、ヒトの相互作用の必要なく、自動でＰＣＲを実践可能にすることができる。流水式ＰＣＲシステムはまた、建物、飛行機、バス、および他の車両のＨＶＡＣシステム内の早期警戒システムとしての役割を果たすことができ、感染性病原体または汚染物質の存在に対して、血液、水、または他の試料源の監視に使用することができる。
【０１２０】
流水式ＰＣＲデバイスは、口腔綿棒、注射器、空気試料採取器、流体試料採取器、または他の試料採取器等の収集デバイスから試料を採取し、それを試料調製デバイスに送達する。試料は、調製デバイス内で調製され、いくつかの実施形態では、細胞溶解、ＤＮＡ、ＲＮＡ、またはマイクロＲＮＡの濃縮あるいは精製、濾過、もしくは逆転写を含み得る。一実施形態では、少なくとも１つの核酸が、濃縮される。別の実施形態では、少なくとも１つの濃縮された核酸が、核酸をＰＣＲ試薬（少なくとも１つのＤＮＡポリメラーゼ、ＲＮＡポリメラーゼ、ｄＮＴＰ、緩衝剤、または塩等）およびプライマ（アッセイ特異的プライマまたは複数の標的病原体に対して広範に適用可能なプライマ集合等）に添加することによって、ＰＣＲのために調製される。これらのプライマは、特異的病原体（かび、ウイルス、細菌、寄生生物、またはアメーバ等）、遺伝子、他の所望の核酸、または任意のそれらの組み合わせから単離された少なくとも１つの核酸を選択的に増幅するために選択され得る。試料から濃縮された少なくとも１つの核酸、ＰＣＲ試薬、およびプライマを備えている組成物は、ＰＣＲ反応試料と呼ばれる。一実施形態では、流水式ＰＣＲは、継続流デバイスとして使用することができる一方、他の実施形態では、試料は、熱循環領域内に移動され、停止される。
【０１２１】
ＰＣＲ反応試料は、次いで、反応チャネルおよび温度制御された電気経路を伴う回路基板を通って流動する。いくつかの実施形態では、反応チャネルは、クリアまたは透明である。別の実施形態では、反応チャネルは、不透明である。一実施形態では、反応チャネルは、シリンダである。別の実施形態では、反応チャネルの断面は、三角形、正方形、長方形、五角形、六角形、七角形、八角形、九角形、十角形、または他の多角形等の形状を形成する、１つ以上の平面を備えている。一実施形態では、ＰＣＲ反応試料の体積は、反応チャネル内の空間の短い個別長を占めるようなものであって、その残りは、空気、ガス、または鉱物油等の非反応液体によって占有される。空気、ガス、または鉱物油等の非反応液体は、個々のＰＣＲ反応試料を相互から分離するために使用することができる。
【０１２２】
一実施形態では、検出モジュールは、蛍光、発光、吸光度、または他の光学特性を測定し、温度制御領域内に位置する間、または温度制御領域を離れた後、ＰＣＲ反応試料から放出される信号を検出する。検出モジュールは、ＰＣＲ反応試料内の蛍光染料（臭化エチジウムまたはサイバーグリーンを含むが、それらに限定されない、挿入染料等）を励起させるために使用される、光源（コヒーレント光源またはインコヒーレント光源等）を備えていることができ、励起光は、光検出器（ＣＣＤ、ＣＭＯＳ、ＰＭＴ、または他の光学検出器等）によって感知される。検出電子機器は、検出モジュールから送信される信号を評価することができる。
【０１２３】
一実施形態では、所望の数の熱サイクル完了後、ＰＣＲ反応試料は圧力または真空を使用して、反応チャネルに圧送あるいは押出され、温度制御された領域から出る。一好ましい実施形態では、下流デバイスは、電気泳動法、質量分析法、または他の分析技法を行なうために使用することができる、分析デバイスである。
【０１２４】
複数の反応チャネルが、試料処理能を向上させるために、並行して使用され得る。さらに別の実施形態では、システムは、増幅（正の結果）が生じると、ユーザにアラートし、標的シーケンスが存在することを示し得る。一実施形態では、反応チャネルは、単回使用専用に使用され、次いで、廃棄される。代替実施形態では、反応チャネルは、複数の試料のＰＣＲ増幅生成物を増幅し、その有無を検出するために使用することができる。２つ以上のＰＣＲ反応試料は、間隔を空けて装填され、障壁ガスまたは液体塊によって相互離間され、混合を防止することができる。一実施形態では、試料は、熱循環を受けているときに、別の試料が、検出領域内において、反応測定を受けるように、離間される。ＰＣＲ増幅は、熱循環を使用するか、または等温反応であり得る他の核酸増幅技術によって、置換することができる。
【０１２５】
他の実施形態では、デバイスは、抗体またはアプタマ等の親和性試薬を使用して、サンドイッチアッセイ等の等温反応を行い、標的存在量の示度値を提供する、検出モジュールによって、細胞、タンパク質、毒素、または他の標的が、存在するかどうか決定することができる。これらの用途では、ＩＭＳ精製等の親和性精製が行なわれ、次いで、蛍光標識を取着させ得る二次抗体を添加し得る。試料は、次いで、反応を最適化するように設定された熱的に制御された領域内に移動することができる。検出モジュールは、次いで、反応を監視することができる。
【０１２６】
本発明は、上で詳述された好ましい実施形態および実施例を参照することによって、開示されるが、これらの実施例は、限定的意味ではなく、例証的意味であることが意図されることを理解されたい。修正および組み合わせは、当業者に容易に想起され、その修正および組み合わせは、本発明の精神および以下の請求項の範囲内であると想定される。
【図１】
0005984799.tif 000002
【図１Ａ】
0005984799.tif 000003
【図２】
0005984799.tif 000004
【図３】
0005984799.tif 000005
【図４】
0005984799.tif 000006
【図５】
0005984799.tif 000007
【図６】
0005984799.tif 000008
【図７】
0005984799.tif 000009
【図８】
0005984799.tif 000010
【図９】
0005984799.tif 000011
【図１０】
0005984799.tif 000012
【図１１】
0005984799.tif 000013
【図１２】
0005984799.tif 000014
【図１３】
0005984799.tif 000015